(57)【要約】【課題】裸の光ディスクの書込禁止／書込許可が検出できる光ディスクの書込禁止システム、光ディスク、及び光ディスク記録再生装置を提供することを課題とする。【解決手段】ディスク外径よりも内側でかつディスクを保持するターンテーブル３９の外径より外側の範囲に形成された光記録可能な記録領域４３と、記録領域４３の内側に形成された第１透明領域４５、外側に形成された第２透明領域４７とを有する光ディスクの書込禁止システムにおいて、光ディスクの第１透明領域４５に反射シール４９を設け、光ディスク記録再生装置５１に、反射シール４９を検出する第２フォトインタラプタ（光学的書込禁止検出手段）を設ける。【選択図】      図２
2004152343.tif 000002
【特許請求の範囲】
【請求項１】
ディスク外径よりも内側でかつ前記ディスクを保持するターンテーブルの外径より外側の範囲に形成された光記録可能な記録領域と、該記録領域の内側及び外側に形成された透明領域とを有する光ディスクの書込禁止システムにおいて、
前記内側、外側の透明領域のいずれかの領域に、反射部、遮光部のいずれかが設けられた光ディスクと、
該光ディスクの前記反射部、遮光部のいずれかを検出する光学的書込禁止検出手段を有する光ディスク記録再生装置と、
からなることを特徴とする光ディスクの書込禁止システム。
【請求項２】
ディスク外径よりも内側でかつ前記ディスクを保持するターンテーブルの外径より外側の範囲に形成された光記録可能な記録領域と、該記録領域の内側及び外側に形成された透明領域とを有する光ディスクにおいて、
前記内側、外側の透明領域のいずれかの領域に、反射部、遮光部のいずれかが設けられたことを特徴とする光ディスク。
【請求項３】
ディスク外径よりも内側でかつ前記ディスクを保持するターンテーブルの外径より外側の範囲に形成された光記録可能な記録領域と、該記録領域の内側及び外側に形成された透明領域とを有する光ディスクに対してデータを記録／再生する光ディスク記録再生装置において、
前記光ディスクの内側、外側の透明領域のいずれかの領域に設けられた反射部、遮光部のいずれかを検出する光学的書込禁止検出手段を備えることを特徴とする光ディスク記録再生装置。
【請求項４】
前記光ディスクの記録領域による遮光、反射光のいずれかを検出して、前記光ディスクが装着されたことを検出する光学的ディスク検出手段を有することを特徴とする請求項３記載の光ディスク記録再生装置。
【請求項５】
ディスク外径よりも内側でかつ前記ディスクを保持するターンテーブルの外径より外側の範囲に形成された光記録可能な記録領域と、該記録領域の内側及び外側に形成された透明領域とを有する光ディスクがカートリッジに収納された状態、前記光ディスクが裸の状態のいずれの状態でも装着でき、前記光ディスクに対して記録再生可能な光ディスク記録再生装置において、
前記カートリッジに設けられた書込禁止／許可設定部の状態を検出する設定状態検出手段と、
前記光ディスクの内側、外側の透明領域のいずれかの領域に設けられた反射部、遮光部のいずれかを検出する光学的書込禁止検出手段と、
を備えることを特徴とする光ディスク記録再生装置。
【請求項６】
前記光ディスクの記録領域での光の反射を検出して、前記光ディスクが装着されたことを検出する光学的ディスク検知出手段を有することを特徴とする請求項５記載の光ディスク記録再生装置。
【請求項７】
前記光学的書込禁止検出手段と、前記光学的ディスク検出手段とは、共通の発光部を有し、該発光部は、前記反射部が設けられた透明領域と、記光ディスクの前記記録領域との境界をまたがって照射することを特徴とする請求項６記載の光ディスク記録再生装置。
【発明の詳細な説明】
【０００１】
【発明の属する技術分野】
本発明は、光ディスクの書込禁止システム、光ディスク、及び光ディスク記録再生装置に関する。
【０００２】
【従来の技術】
図７は、従来の光ディスク（例えば、ＭＯ、ＣＤ−Ｒ、ＰＤ等）の外観を示す図である。図７（ａ）はその正面が上になった斜視図、図７（ｂ）は裏面が上になった斜視図である。これらの図において、光ディスク１は、メディアのキズ、汚れを防止するために、カートリッジ３内に収納されている。そして、シャッタ５により開閉されるカートリッジ３の開口７を介してデータの記録／再生を行なうようになっている。
【０００３】
近年、光ディスクの保護膜の改良等により、裸の光ディスクの形態でも使用できるようになっている。
【０００４】
そして、カートリッジに収納された状態の光ディスクでも、又、裸の光ディスクでも記録再生できる装置も提案されている（例えば、特許文献１参照）。
【０００５】
【特許文献１】
特開平９−３２０１７０号公報（第５，６頁、図３）
【０００６】
【発明が解決しようとする課題】
図７に示すように、カートリッジ３に収納された光ディスクの場合、カートリッジ３に書込禁止／書込許可設定部１１が設けられている。この書込禁止／書込許可設定部１１は、図８に示すように、カートリッジ３を貫通する穴１３と穴１３に移動可能に設けられたスライド片１５とからなり、光ディスクを記録再生する装置に、スライド片１５が穴１３のどちらの側にあるかをマイクロスイッチ等の機械的スイッチを用いて検出し、カートリッジ３が装着されたかどうか、又、書込禁止ディスクであるかどうかを検出している。
【０００７】
同様に、裸の光ディスクを光ディスク記録再生装置を用いて記録再生する場合、
（１）書込禁止かどうかの検出
（２）光ディスクが装着されたかどうかの検出
をなんらかの方法で検出しなければならない。
【０００８】
しかしながら、カートリッジに収納された状態の光ディスクでも、又、裸の光ディスクでも記録再生できる装置である引用文献１に記載の発明には、そのようなことは記載されていない。
【０００９】
本発明は、上記問題点に鑑みてなされたもので、その課題は、裸の光ディスクの書込禁止／書込許可が検出できる光ディスクの書込禁止システム、光ディスク、及び光ディスク記録再生装置を提供することにある。
【００１０】
第２課題は、カートリッジに収納された光ディスク、裸の光ディスクの書込禁止／書込許可が検出できる光ディスク記録再生装置を提供することにある。
【００１１】
【課題を解決するための手段】
上記課題を解決する請求項１記載の発明は、ディスク外径よりも内側でかつ前記ディスクを保持するターンテーブルの外径より外側の範囲に形成された光記録可能な記録領域と、該記録領域の内側及び外側に形成された透明領域とを有する光ディスクの書込禁止システムにおいて、前記内側、外側の透明領域のいずれかの領域に、反射部、遮光部のいずれかが設けられた光ディスクと、該光ディスクの前記反射部、遮光部のいずれかを検出する光学的書込禁止検出手段を有する光ディスク記録再生装置と、からなることを特徴とする光ディスクの書込禁止システムである。
【００１２】
内側、外側の透明領域のいずれかの領域に、反射部、遮光部のいずれかが設けられた光ディスクと、該光ディスクの前記反射部分、遮光部分のいずれかを検出する光学的書込禁止検出手段を有する光ディスク記録再生装置と、からなることにより、裸の光ディスクの書込禁止／書込許可が検出できる。
【００１３】
請求項２記載の発明は、ディスク外径よりも内側でかつ前記ディスクを保持するターンテーブルの外径より外側の範囲に形成された光記録可能な記録領域と、該記録領域の内側及び外側に形成された透明領域とを有する光ディスクにおいて、前記内側、外側の透明領域のいずれかの領域に、反射部、遮光部のいずれかが設けられたことを特徴とする光ディスクである。
【００１４】
内側、外側の透明領域のいずれかの領域に、反射部、遮光部のいずれかが設けられたことにより、光ディスク記録再生装置側に光ディスクの前記反射部分、遮光部分のいずれかを検出する光学的書込禁止検出手段を設ければ、裸の光ディスクの書込禁止／書込許可が検出できる。
【００１５】
請求項３記載の発明は、ディスク外径よりも内側でかつ前記ディスクを保持するターンテーブルの外径より外側の範囲に形成された光記録可能な記録領域と、該記録領域の内側及び外側に形成された透明領域とを有する光ディスクに対してデータを記録／再生する光ディスク記録再生装置において、前記光ディスクの内側、外側の透明領域のいずれかの領域に設けられた反射部、遮光部のいずれかを検出する光学的書込禁止検出手段を備えることを特徴とする光ディスク記録再生装置である。
【００１６】
前記光ディスクの内側、外側の透明領域のいずれかの領域に設けられた反射部、遮光部のいずれかを検出する光学的書込禁止検出手段を備えることにより、裸の光ディスクの書込禁止／書込許可が検出できる。
【００１７】
請求項４記載の発明は、前記光ディスクの記録領域による遮光、反射光のいずれかを検出して、前記光ディスクが装着されたことを検出する光学的ディスク検出手段を有することを特徴とする請求項３記載の光ディスク記録再生装置である。
【００１８】
前記光ディスクの記録領域による遮光、反射光のいずれかを検出して、前記光ディスクが装着されたことを検出する光学的ディスク検出手段を有することにより、裸の光ディスクが装置に装着されたかどうかを検出することができる。
【００１９】
請求項５記載の発明は、ディスク外径よりも内側でかつ前記ディスクを保持するターンテーブルの外径より外側の範囲に形成された光記録可能な記録領域と、該記録領域の内側及び外側に形成された透明領域とを有する光ディスクがカートリッジに収納された状態、前記光ディスクが裸の状態のいずれの状態でも装着でき、前記光ディスクに対して記録再生可能な光ディスク記録再生装置において、前記カートリッジに設けられた書込禁止／許可設定部の状態を検出する設定状態検出手段と、前記光ディスクの内側、外側の透明領域のいずれかの領域に設けられた反射部、遮光部のいずれかを検出する光学的書込禁止検出手段と、を備えることを特徴とする光ディスク記録再生装置である。
【００２０】
前記カートリッジに設けられた書込禁止／許可設定部の状態を検出する設定状態検出手段を備えることにより、カートリッジに収納された光ディスクが書込禁止かどうか、又、光ディスクが装置に装着されたかどうかの検出を行なうことができる。
【００２１】
更に、前記光ディスクの内側、外側の透明領域のいずれかの領域に設けられた反射部、遮光部のいずれかを検出する光学的書込禁止検出手段を備えることにより、裸の光ディスクが書込禁止かどうかを検出することができる。
【００２２】
請求項６記載の発明は、前記光ディスクの記録領域での光の反射を検出して、前記光ディスクが装着されたことを検出する光学的ディスク検知出手段を有することを特徴とする請求項５記載の光ディスク記録再生装置である。
【００２３】
前記光ディスクの記録領域での光の反射を検出して、前記光ディスクが装着されたことを検出する光学的ディスク検知出手段を有することにより、裸の光ディスクが装置に装着されたかどうかを検出することができる。
【００２４】
請求項７記載の発明は、前記光学的書込禁止検出手段と、前記光学的ディスク検出手段とは、共通の発光部を有し、該発光部は、前記反射部が設けられた透明領域と、記光ディスクの前記記録領域との境界をまたがって照射することを特徴とする請求項６記載の光ディスク記録再生装置である。
【００２５】
前記光学的書込禁止検出手段と、前記光学的ディスク検出手段とは、共通の発光部を有し、該発光部は、前記反射部が設けられた透明領域と、記光ディスクの前記記録領域との境界をまたがって照射することにより、記録領域内からの反射光を検出することで、裸の光ディスクが装置に装着されたかどうかを検出する光学的ディスク検知手段を実現できる。
【００２６】
又、透明領域の反射部からの反射光を検出することで、裸の光ディスクが書込禁止かどうかを検出する光学的書込禁止検出手段を実現することができる。
【００２７】
共通の発光部を有することで、省スペースとなり、更に、コストダウンも図れる。
【００２８】
【発明の実施の形態】
図面を用いて実施の形態例を説明する。
（１）裸の光ディスク
図１（ａ）は実施の形態例の裸の光ディスクの正面図、図１（ｂ）は図１（ａ）の切断線Ａ−Ａでの断面図である。図１（ｂ）に示すように、裸の光ディスク３１は、透明なポリカーボネイト樹脂等のディスク状の透明基板３２の一方の面には、光記録が行なわれる記録膜３３が形成されている。そして、透明基板３２の一方の面にはスパッタリング等の手法で保護膜３５が、他方の面にもスパッタリング等の手法で保護膜３７が形成されている。
【００２９】
又、図１（ａ）に示すように、光ディスク３１の中央部分には、光ディスクの記録再生装置のスピンドルモータに設けられ、光ディスク３１を保持するターンテーブル（クランプ）３９に嵌合するハブ４１が設けられている。
【００３０】
記録膜３３は、膜の均一性を確保するために、ディスク外径よりも内側でかつ光ディスクを保持するターンテーブル３９の外径より外側の範囲に形成されている。以下、この記録膜３３が形成された領域を記録領域４３という。このため、記録領域４３の内側には第１透明領域４５が、外側には第２透明領域４７が形成されている。
【００３１】
そして、本実施の形態例では、光ディスク３１が書込禁止である場合には、光ディスク３１の内側の透明領域である第１透明領域４５に、反射部としての反射シール４９が貼付されている。
【００３２】
尚、反射シール４９の貼付箇所として、第２透明領域４７であってもよい。
（２）記録再生装置
図２は光ディスク記録再生装置の構成図であり、（ａ）図はカートリッジに収納された光ディスクが装着された状態を示し、（ｂ）図は裸の光ディスクが装着された状態を示している。
【００３３】
これらの図において、光ディスク記録再生装置５１の内部には、光ディスク３１のハブ４１に嵌合し、光ディスク３１を回転駆動するスピンドルモータ５３と、光ディスク３１の記録領域４３のトラックを横切る方向に移動可能に設けられ、光ディスク３１の記録膜３３に対してデータの記録／再生を行なう光ピックアップ５５とが設けられている。
【００３４】
又、図２（ａ）に示すように、光ディスク記録再生装置５１の内部には、カートリッジ６１の書込禁止／書込許可設定部１１に当接し、カートリッジ６１が挿入されたかどうか、またそのカートリッジ６１は書込禁止か書込許可かどうかを検出する第１検出スイッチ７３と、第２検出スイッチ７５とが設けられている（設定状態検出手段）。
【００３５】
更に、図２（ｂ）に示すように、光ディスク記録再生装置５１の内部には、装着された裸の光ディスク３１の記録領域４３に光を照射し、記録領域４３からの反射光を検出して光ディスク３１が装着されたかどうかを検出する反射型の第１フォトインタラプタ（光学的ディスク検出手段）７７と、光ディスク３１の第１透明領域４５に貼付された反射シール４９に光を照射し、反射シール４９からの反射光を検出して光ディスク３１が書込禁止かどうかを検出する反射型の第２フォトインタラプタ（光学的書込禁止検出手段）７９とが設けられている。
【００３６】
次に、図２に示す構成の光ディスク記録再生装置の電気的構成を示すブロック図である図３を用いて説明する。図において、７１は第１検出スイッチ７３、第２検出スイッチ７５、第１フォトインタラプタ７７、第２フォトインタラプタ７９からの信号を取り込み、書込制御回路８１を制御する制御部である。
【００３７】
次に、上記構成の作動を図４を用いて説明する。図４は図３に示す制御部７１の動作を示すフロー図である。
【００３８】
第１検出スイッチ７３がオンで、第２検出スイッチ７５がオフの場合（ステップ１、ステップ２）、カートリッジ６１が挿入され、カートリッジ６１の書込禁止／書込許可設定部が書込許可になっていると判断し、書込制御回路８１を書込許可に設定する（ステップ４）。又、第１検出スイッチ７３がオフで、第２検出スイッチ７５がオンの場合（ステップ１、ステップ５）、カートリッジ６１が挿入され、カートリッジ６１の書込禁止／書込許可設定部が書込禁止になっていると判断し、書込制御回路８１を書込禁止に設定する（ステップ３）。更に、第１検出スイッチ７３がオンで、第２検出スイッチ７５がオンの場合（ステップ１、ステップ２）、特殊ディスクと判断し（ステップ９）、書込制御回路８１を書込禁止に設定する（ステップ３）。
【００３９】
ステップ１で、第１検出スイッチ７３がオフで、更に、第２検出スイッチ７５がオフ（ステップ５）、第１フォトインタラプタ７７がオン（ステップ６）の場合、裸の光ディスク３１が装着されたと判断する。裸のディスク３１を回転させ、第２フォトインタラプタ７９からパルスが発生するかどうかを見る（ステップ８）。ステップ８でパルスがある場合は、書込禁止の反射シール４９が貼付されていると判断し、書込制御回路８１を書込禁止に設定する（ステップ３）。又、ステップ８で、パルスがない場合は、書込禁止の反射シール４９が貼付されていないと判断し、書込制御回路８１を書込許可に設定する（ステップ４）。
【００４０】
更に、ステップ６で第１フォトインタラプタ７７がオフの場合、光ディスク３１を収納したカートリッジ６１、裸の光ディスク３１のいずれもが装着されていないと判断し、ステップ１に戻る。
【００４１】
上記構成によれば、以下のような効果を得ることができる。
（１）裸の光ディスク３１の第１透明領域４５に反射シール４９を設け、光ディスク記録再生装置５１に第２フォトインタラプタ７９を設けたことにより、裸の光ディスク３１の書込禁止／書込許可が検出できる。
（２）第１のフォトインタラプタ７７を設けたことにより、裸の光ディスク３１が光ディスク記録再生装置５１に装着されたかどうかを検出できる。
【００４２】
尚、本発明は上記実施の形態例に限定するものではない。
【００４３】
例えば、フォトインタラプタは、図５に示すような構成であってもよい。図５（ａ）は他の実施の形態例光ディスク記録再生装置の構成図、図５（ｂ）は図５（ａ）のＢ部分の拡大図である。尚、図５において、図２と同じ部分には同一符号を付し、重複する説明は省略する。
【００４４】
図５（ｂ）に示すように、フォトインタラプタ１０１は２つの受光部１０３、受光部１０５と、受光部１０３、受光部１０５の間に配置された発光部１０７とからなる。
【００４５】
そして、発光部１０７からの光は、反射シール４９が設けられた透明領域、本実施の形態例では第１透明領域４５と、記録領域４３との境界をまたがって照射されるようになっている。
【００４６】
このような構成によれば、受光部１０３で記録領域４３内からの反射光を検出することで、裸の光ディスク３１が装置に装着されたかどうかを検出する光学的ディスク検知手段を実現できる。
【００４７】
又、受光部１０５で第１透明領域４５の反射シール４９からの反射光を検出することで、裸の光ディスク３１が書込禁止かどうかを検出する光学的書込禁止検出手段を実現することができる。
【００４８】
共通の発光部１０７を有することで、省スペースとなり、更に、コストダウンも図れる。
【００４９】
更に、第１フォトインタラプタ７７、第２フォトインタラプタ７９は、反射型のフォトインタラプタを用いたが、図６に示すような構成であってもよい。尚、図６において、図２と同じ部分には同一符号を付し、重複する説明は省略する。
【００５０】
光ディスク３１の第１透明領域４５には、遮光部としての遮光シール２０１が貼付されている。そして、光ディスク記録再生装置５１の内部には、装着された裸の光ディスク３１の記録領域４３に光を照射する第１発光部２０３、第１発光部２０３からの光を受ける第１受光部２０５と、光ディスク３１の第１透明領域４５に貼付された遮光シール２０１に光を照射する第２発光部２０７、第２発光部２０７からの光を受ける第２受光部２０９とが設けられている。
【００５１】
第１発光部２０３と第１受光部２０５とで、光ディスク３１が装着されたかどうかを検出する光学的ディスク検出手段が構成され、第２発光部２０７と第２受光部２０９とで、光ディスク３１が書込禁止かどうかを検出する光学的書込禁止検出手段が構成されている。
【００５２】
更に、裸の光ディスク光ディスク３１の記録領域４３と第１透明領域４５との境界をまたいで照射するようにすれば、第１発光部２０３、第２発光部２０７とを１つの発光部とすることができる。
【００５３】
【発明の効果】
以上述べたように、請求項１記載の発明によれば、  内側、外側の透明領域のいずれかの領域に、反射部、遮光部のいずれかが設けられた光ディスクと、該光ディスクの前記反射部分、遮光部分のいずれかを検出する光学的書込禁止検出手段を有する光ディスク記録再生装置と、からなることにより、裸の光ディスクの書込禁止／書込許可が検出できる。
【００５４】
請求項２記載の発明によれば、内側、外側の透明領域のいずれかの領域に、反射部、遮光部のいずれかが設けられたことにより、光ディスク記録再生装置側に光ディスクの前記反射部分、遮光部分のいずれかを検出する光学的書込禁止検出手段を設ければ、裸の光ディスクの書込禁止／書込許可が検出できる。
【００５５】
請求項３記載の発明によれば、前記光ディスクの内側、外側の透明領域のいずれかの領域に設けられた反射部、遮光部のいずれかを検出する光学的書込禁止検出手段を備えることにより、裸の光ディスクの書込禁止／書込許可が検出できる。
【００５６】
請求項４記載の発明によれば、前記光ディスクの記録領域による遮光、反射光のいずれかを検出して、前記光ディスクが装着されたことを検出する光学的ディスク検出手段を有することにより、裸の光ディスクが装置に装着されたかどうかを検出することができる。
【００５７】
請求項５記載の発明によれば、前記カートリッジに設けられた書込禁止／許可設定部の状態を検出する設定状態検出手段を備えることにより、カートリッジに収納された光ディスクが書込禁止かどうか、又、光ディスクが装置に装着されたかどうかの検出を行なうことができる。
【００５８】
更に、前記光ディスクの内側、外側の透明領域のいずれかの領域に設けられた反射部、遮光部のいずれかを検出する光学的書込禁止検出手段を備えることにより、裸の光ディスクが書込禁止かどうかを検出することができる。
【００５９】
請求項６記載の発明によれば、前記光ディスクの記録領域での光の反射を検出して、前記光ディスクが装着されたことを検出する光学的ディスク検知出手段を有することにより、裸の光ディスクが装置に装着されたかどうかを検出することができる。
【００６０】
請求項７記載の発明によれば、前記光学的書込禁止検出手段と、前記光学的ディスク検出手段とは、共通の発光部を有し、該発光部は、前記反射部が設けられた透明領域と、記光ディスクの前記記録領域との境界をまたがって照射することにより、記録領域内からの反射光を検出することで、裸の光ディスクが装置に装着されたかどうかを検出する光学的ディスク検知手段を実現できる。
【００６１】
又、透明領域の反射部からの反射光を検出することで、裸の光ディスクが書込禁止かどうかを検出する光学的書込禁止検出手段を実現することができる。
【００６２】
共通の発光部を有することで、省スペースとなり、更に、コストダウンも図れる。
【図面の簡単な説明】
【図１】（ａ）図は実施の形態例の裸の光ディスクの正面図、（ｂ）図は（ａ）図の切断線Ａ−Ａでの断面図である。
【図２】実施の形態例の光ディスク記録再生装置の構成図であり、（ａ）図はカートリッジに収納された光ディスクが装着された状態を示し、（ｂ）図は裸の光ディスクが装着された状態を示している。
【図３】図２に示す構成の光ディスク記録再生装置の電気的構成を示すブロック図である。
【図４】図３に示す制御部７１の動作を示すフロー図である。
【図５】（ａ）図は他の実施の形態例の光ディスク記録再生装置の構成図、（ｂ）図は（ａ）図のＢ部分の拡大図である。
【図６】他の実施の形態例の光ディスク記録再生装置の構成図である。
【図７】従来の光ディスクの外観を示す図であり、（ａ）図はその正面が上になった斜視図、（ｂ）図は裏面が上になった斜視図である。
【図８】図７の書込禁止／書込許可設定部を説明する図である。
【符号の説明】
３１  光ディスク
４３  記録領域
４５  第１透明領域
４７  第２透明領域
４９  反射シール
７３  第１検出スイッチ
７７  第２検出スイッチ
７７  第１フォトインタラプタ
７９  第２フォトインタラプタ
【図１】
2004152343.tif 000003
【図２】
2004152343.tif 000004
【図３】
2004152343.tif 000005
【図４】
2004152343.tif 000006
【図５】
2004152343.tif 000007
【図６】
2004152343.tif 000008
【図７】
2004152343.tif 000009
【図８】
2004152343.tif 000010